(57)【要約】【課題】クリック感を付与しつつ小型でかつ耐久性に優れた操作装置および電子機器を提供すること。【解決手段】操作装置は、操作部材に固定され複数の磁極を有する第１の磁石５０５と、第１の磁極部５０７ａおよび第２の磁極部５０７を備え第１の磁石に対して移動可能に配置された可動部５０７とを有する。操作部材が操作されると、第１の磁石と第１の磁極部との間に作用する吸引力が減少し、かつ可動部の移動によって第１の磁石と第２の磁極部との間に吸引力が作用するように第１の磁極部および第２の磁極部が可動部に設けられている。【選択図】図６
2020136029.tif 000002
【特許請求の範囲】
【請求項１】
ユーザーによって操作される操作部材を備える操作装置であって、
前記操作部材に固定され複数の磁極を有する第１の磁石と、
第１の磁極部および第２の磁極部を備え前記第１の磁石に対して移動可能に配置された可動部と、を有し、
前記第１の磁石と前記第１の磁極部との間に吸引力が作用した状態で、前記操作部材が操作されると、前記第１の磁石と前記第１の磁極部との間に作用する吸引力が減少し、かつ前記可動部の移動によって前記第１の磁石と前記第２の磁極部との間に吸引力が作用するように前記第１の磁極部および前記第２の磁極部が前記可動部に設けられていることを特徴とする操作装置。
【請求項２】
前記操作部材は所定の回転軸の回りに回転可能に保持されており、
前記第１の磁石は前記操作部材の回転とともに回転するリング状の磁石であって、円周方向に沿って前記複数の磁極が形成されていることを特徴とする請求項１に記載の操作装置。
【請求項３】
前記操作部材は所定の方向にスライド移動可能に保持されており、
前記第１の磁石は前記操作部材の移動方向に沿って前記複数の磁極が形成されていることを特徴とする請求項１に記載の操作装置。
【請求項４】
前記可動部は回転可能に保持されて、前記第１の磁極部および前記第２の磁極部が前記第１の磁石と対向する位置に配置されていることを特徴とする請求項２又は３に記載の操作装置。
【請求項５】
前記操作部材には、前記可動部の回転する範囲を規制する規制部材が設けられていることを特徴とする請求項３に記載の操作装置。
【請求項６】
前記可動部は前記第１の磁石の移動に連れて前記第１の磁石と前記第１の磁極部および前記第２の磁極部との関係に応じた作用力に応じて前記第１の磁石の移動方向と平行な面において移動することを特徴とする請求項１乃至５のいずれか１項に記載の操作装置。
【請求項７】
前記第１の磁極部および前記第２の磁極部と前記第１の磁石との間には所定の間隙が設定されていることを特徴とする請求項６に記載の操作装置。
【請求項８】
前記第１の磁極部および前記第２の磁極部の各々には着磁面における磁界の方向と前記可動部の移動方向とが鈍角をなす部分が形成されていることを特徴とする請求項２に記載の操作装置。
【請求項９】
前記第１の磁極部および前記第２の磁極部の各々には、その法線方向が前記第１の磁石の移動方向と鈍角をなす傾斜部が形成されていることを特徴とする請求項２に記載の操作装置。
【請求項１０】
前記第１の磁極部および前記第２の磁極部の各々には、その法線が前記可動部の移動方向に対して鈍角をなす方向に段差部が形成されていることを特徴とする請求項２に記載の操作装置。
【請求項１１】
請求項１乃至１０のいずれか１項に記載の操作装置と、
前記操作部材の操作に応じた設定を行う設定手段と、
を有することを特徴とする電子機器。
【発明の詳細な説明】
【技術分野】
【０００１】
本発明は、操作装置および電子機器に関し、特に、ユーザーが操作する際にクリック感を発生させる操作装置に関する。
【背景技術】
【０００２】
一般に、デジタルカメラなどの電子機器には、ダイヤルなどの回転操作部材を回転操作することによって撮影条件の設定および各種機能の選択を行うための回転操作装置が備えられている。そして、この種の回転操作装置には、操作の際にクリック感を発生させるようにしたものがあり、クリック感の発生によってユーザーは操作量を直感的に把握することができる。
【０００３】
従来、このクリック感の付与（発生）には、弾性部材およびカムを用いた構成が用いられている。ところが、この構成では、繰り返して使用すると摩耗が生じ、クリック感が弱くなる恐れがある。
【０００４】
このような問題に対して、例えば、回転操作部材と一体で回転し円周方向に多極着磁されたリング状の多極磁石と固定磁石との吸着力および反発力を用いてクリック感を付与するようにしたものがある（特許文献１）。
【先行技術文献】
【特許文献】
【０００５】
【特許文献１】特開２００８−１９２６２３号公報（Ｈ０１Ｈ  １９／１１）
【発明の概要】
【発明が解決しようとする課題】
【０００６】
上述の特許文献１に記載の回転操作装置においては、多極磁石と固定磁石との対向する磁極が吸着から反発を乗り越えて再び吸着になる際にクリック感が発生する。このため、一回のクリック感を発生させるためには多極磁石を二極分回転させる必要がある。このため、特許文献１に記載の回転操作装置では、回転操作部材を一回転させる間のクリック数の倍の磁極数を有する多極磁石が必要となって、装置が大型化してしまう。
【０００７】
そこで、本発明の目的は、クリック感を付与しつつ小型でかつ耐久性に優れた操作装置および電子機器を提供することにある。
【課題を解決するための手段】
【０００８】
上記の目的を達成するため、本発明による操作装置は、ユーザーによって操作される操作部材を備える操作装置であって、前記操作部材に固定され複数の磁極を有する第１の磁石と、第１の磁極部および第２の磁極部を備え前記第１の磁石に対して移動可能に配置された可動部と、を有し、前記第１の磁石と前記第１の磁極部との間に吸引力が作用した状態で、前記操作部材が操作されると、前記第１の磁石と前記第１の磁極部との間に作用する吸引力が減少し、かつ前記可動部の移動によって前記第１の磁石と前記第２の磁極部との間に吸引力が作用するように前記第１の磁極部および前記第２の磁極部が前記可動部に設けられていることを特徴とする。
【発明の効果】
【０００９】
本発明によれば、クリック感を付与しつつ小型でかつ耐久性に優れた操作装置を得ることができる。
【図面の簡単な説明】
【００１０】
【図１】本発明の第１の実施形態による操作装置を備える電子機器の１つである撮像装置の外観を示す図である。
【図２】図１に示すダイヤル操作装置の１つであるサブダイヤル装置の一例を示す斜視図である。
【図３】図２に示すサブダイヤル装置を分解して示す斜視図である。
【図４】図３に示すサブダイヤル装置の構成を説明するための図である。
【図５】図４に示すサブダイヤル装置におけるクリック感の付与を説明するための図である。
【図６】図３に示すサブダイヤル装置においてダイヤル操作部が操作される前の状態を示す図である。
【図７】図３に示すサブダイヤル装置においてダイヤル操作部を操作中の状態を示す図である。
【図８】図３に示すサブダイヤル装置においてダイヤル操作部を操作して１磁極分の回転が完了した状態を示す図である。
【図９】図７に示すＢ−Ｂ線に沿った断面を示す図である。
【図１０】本発明の第２の実施形態による操作装置の一例を示す斜視図である。
【図１１】図１０に示すスライダ操作装置を分解して示す図である。
【図１２】図１０に示すスライド操作装置においてスライダが操作されていない状態を示す図である。
【図１３】図１２に示す状態からスライダを操作した状態を示す図である。
【図１４】図１３に示す状態からさらにスライダを操作した状態を示す図である。
【図１５】本発明の第３の実施形態によるダイヤル操作装置で用いられる可動磁石の一例を説明するための図である。
【図１６】図１５に示す可動磁石の動きを説明するための図である。
【図１７】本発明の第３の実施形態によるダイヤル操作装置で用いられる可動磁石の他の例を説明するための図である。
【図１８】本発明の第４の実施形態による操作装置において可動磁石の動きを説明するための図である。
【発明を実施するための形態】
【００１１】
以下に、本発明の実施の形態による回転操作装置の一例について図面を参照して説明する。
【００１２】
［第１の実施形態］
図１は、本発明の第１の実施形態による操作装置を備える電子機器の１つである撮像装置の外観を示す図である。そして、図１（ａ）は正面から見た状態を示す斜視図であり、図１（ｂ）は背面から見た状態を示す斜視図である。なお、図示の撮像装置は、例えば、デジタル一眼レフカメラ（以下単にカメラと呼ぶである。
【００１３】
図１（ａ）において、カメラ１００には、撮像開始のスイッチであるシャッター釦７０が備えられている。そして、カメラ１００の前面には、着脱可能な撮影レンズユニット（図示せず）が取り付けられるレンズマウント部６０が設けられている。シャッター釦７０の押下によって、撮影レンズユニットを介して光学像が撮像素子（図示せず）に結像して、撮像素子から光学像に応じた画像が得られる。
【００１４】
図１（ｂ）において、カメラ１００の背面部には電源のオンおよびオフを行うための電源スイッチ１０が配置されている。カメラ１００には着脱可能なバッテリーユニット（図示せず）が装着されており、電源スイッチ１０のオンによってバッテリーユニットから給電が行われてカメラ１００が動作を開始する。
【００１５】
カメラ１００において背面上部にはファインダ８０が配置されており、ファインダ８０には撮像される領域（撮像領域）が表示される。背面中央には表示部２０が備えられており、当該表示部２０は、例えば、ＴＦＴ又は有機ＥＬを用いた表示装置であって、ユーザーは表示部２０によって撮影画像および各種設定項目を確認することができる。
【００１６】
カメラ１００には、各種ボタンに加えて、例えば、メインダイヤル装置３０、モードダイヤル装置４０、およびサブダイヤル装置５０などの操作装置（以下第１の実施形態においてダイヤル操作装置と呼ぶ）が備えられている。そして、ダイヤル操作装置は時計回りおよび反時計回りに回転可能であり、ダイヤル操作装置の回転操作によって、例えば、シャッター速度および絞り値など各種設定値を設定することができる。
【００１７】
図２は、図１に示すダイヤル操作装置の１つであるサブダイヤル装置の一例を示す斜視図である。また、図３は図２に示すサブダイヤル装置を分解して示す斜視図である。そして、図４は図３に示すサブダイヤル装置の構成を説明するための図であり、図４（ａ）は上面図、図４（ｂ）は図４（ａ）に示すＡ‐Ａ線に沿った断面図である。さらに、図５は図４に示すサブダイヤル装置におけるクリック感の付与を説明するための図であり、図５（ａ）は図４に示す多極磁石を示す図、図５（ｂ）は可動磁石を示す斜視図である。
【００１８】
図２〜図５を参照して、サブダイヤル装置５０は、ユーザーによって操作されるダイヤル操作部（回転操作部材）５０１を備えている。そして、当該ダイヤル操作部５０１は回転軸５０ａを中心として回転可能である。ダイヤル操作部５０１には、指による回転操作がしやすいようにその円周面には円周方向に沿って凹凸形状が形成されている。ダイヤル操作部５０の中央にはセット釦５１が配置され、当該セット釦５１を押し下げることによって変更した設定値の決定等を行うことができる。ダイヤル操作部５０１の裏面側にはダイヤル保持部材５０２が配置され、ダイヤル保持部材５０２に磁石保持部材５０３が締結される。これによって、ダイヤル操作部５０１はダイヤル保持部材５０２に回転可能に保持される。
【００１９】
磁石保持部材５０３には、シールド部材５０８および多極磁石５０５が配置される。ユーザーによってダイヤル操作部５０１が回転操作されると、多極磁石５０５が一体となって回転する。
【００２０】
図５（ａ）に示すように、多極磁石５０５はリング形状に成形されており、円周方向に沿ってＳ極およびＮ極が交互に配置され、これら複数の磁極は回転軸５０ａの方向に着磁されている。図示の例では、多極磁石５０５は等間隔で２０極の磁極を備えているが、磁極の間隔および極数は図示の例に限定されない。
【００２１】
シールド部材５０８は磁性体であって、磁石保持部材５０３と多極磁石５０５との間に配置される。シールド部材５０８によって、多極磁石５０５からの磁束がダイヤル操作部５０１の側に漏れるのを防ぐことができる。また、シールド部材５０８は外部から流入する磁界ノイズを防磁して、後述する回転検知の際の磁界ノイズの影響を抑える。
【００２２】
ダイヤル操作部５０１およびセット釦５１の下部には検知基板５０６が配置されており、検知基板５０６によってダイヤル操作部５０１の操作量が検知される。
【００２３】
図４（ｂ）に示すように、検知基板５０６上にはホールＩＣ５０６ａが配置され、当該ホールＩＣ５０６は多極磁石５０５に対向する。そして、ホールＩＣ５０６ａによって多極磁石５０５の磁束密度を検知して、当該検知結果に応じてダイヤル操作部５０１の回転方向および極数に応じた回転ステップ量を得ることができる。
【００２４】
なお、ホールＩＣ５０６ａと多極磁石５０５とは接触しておらず、磁界が検知可能な範囲でクリアランス（間隙）が設定されている。
【００２５】
検知基板５０６上にはセット釦検知部５０６ｂが設けられており、当該セット釦検知部５０６ｂは弾性部材で成形されて、セット釦５１の下端に接触している。そして、セット釦５１が押下げられるとセット釦検知部５０６ｂが変形して、検知基板５０６に形成されたパターンの導通によって、セット釦５１の押下が検知される。
【００２６】
図５（ｂ）に示す可動磁石（可動部）５０７はクリック感を付与するための磁石であって、回動可能にダイヤル基部５０４に保持される。可動磁石５０７は少なくとも２極の磁極を有している。図示の例では、可動磁石５０７には２個の磁石によって第１の磁極面（第１の磁極部）５０７ａおよび第２の磁極面（第２の磁極部）５０７ｂが規定されている。
【００２７】
図４（ｂ）に示すように、可動磁石５０７は多極磁石５０５の近傍にその着磁面が対向する向きに配置され、可動磁石５０７と多極磁石５０５との磁極の組み合わせに応じて多極磁石５０５と可動磁石５０７とには吸着力（吸引力）又は反発力が生じる（吸着力および反発力は作用力である）。
【００２８】
図６は、図３に示すサブダイヤル装置においてダイヤル操作部が操作される前の状態を示す図である。また、図７は、図３に示すサブダイヤル装置においてダイヤル操作部を操作中の状態を示す図である。さらに、図８は、図３に示すサブダイヤル装置においてダイヤル操作部を操作して１磁極分の回転が完了した状態を示す図である。
【００２９】
図６〜図８を参照して、ユーザーがダイヤル操作部５０１を操作した際のクリック感の発生について説明する。なお、図６〜図８においては、ダイヤル操作部５０１を回転操作した際の多極磁石５０５と可動磁石５０７およびホールＩＣ５０６ａの位置関係が模式的に示されている。そして、ハッチングを施した部分がＮ極、中抜き（白地）の部分がＳ極を示す。
【００３０】
図６では、ダイヤル操作部５０１が操作されていない安定状態が示されており、多極磁石５０５のＳ極と可動磁石５０７の第１の磁極面５０７ａであるＮ極とが対向して、互いに吸着力が作用している。この際、多極磁石５０５と可動磁石５０７との間には空隙が存在し、互いに接触していない。また、第２の磁極面５０７ｂであるＮ極の近傍には多極磁石５０５のＮ極が位置して、互いに反発力が生じる。
【００３１】
よって、多極磁石５０５と可動磁石５０７との位置関係は図６に示す状態で安定し、多極磁石５０５と第１の磁極面５０７ａとの吸着によって、ダイヤル操作部５０１を静止する力が作用する。図示の例では、安定した静止力を得るため、第１の磁極面５０７ａと多極磁石５０５との重畳面積は、第２の磁極面５０７ｂと多極磁石５０５の重畳面積の７倍以上に設定される。なお、第２の磁極面５０７ｂと多極磁石５０５とは重畳しなくてもよい。
【００３２】
図６に示す状態から、ユーザーがダイヤル操作部５０１を時計回り（ＣＷ）方向に回転させると、図７に示す状態に移行する。ユーザーによる回転操作によって多極磁石５０５のＳ極と可動磁石５０７の第１の磁極面５０７ａであるＮ極との吸着が引き離される。続いて、多極磁石５０５がＣＷ方向に回転することによって、多極磁石５０５のＮ極が第１の磁極面５０７ａであるＮ極に近づき反発力が生じ始める。
【００３３】
一方、第２の磁極面５０７ｂのＮ極には、多極磁石５０５のＳ極が近づくので吸着力が生じ始める。図７に示す状態は不安定な状態であり、上述の吸着力および反発力によって、図８に示す状態に遷移する方向に力が生じている。
【００３４】
図６に示す状態から図８に示す状態に遷移する過程において、第２の磁極面５０７ｂと多極磁石５０５との重畳面積は、第１の磁極面５０７ａと多極磁石５０５との重畳面積を上回って、図６に示す状態からその重畳面積の大小は逆転する。
【００３５】
図７に示す状態からさらに回転操作を続けると、図８に示す状態に移行する。この状態では多極磁石５０５のＳ極と可動磁石５０７の第２の磁極面５０７ｂであるＮ極とが対向しており吸着力が働く。図６に示す状態と同様に多極磁石５０５と可動磁石５０７とは接触していない。また、第１の磁極面５０７ａであるＮ極の近傍には多極磁石５０５のＮ極が位置して互いに反発力が生じる。
【００３６】
よって、図６に示す状態から１磁極分、つまり、１８度回転した状態である図８においてはダイヤル操作部５０１の回転を静止させる力が働く。そして、図６に示す状態と同様に、第２の磁極面５０７ｂと多極磁石５０５との重畳面積は、第１の磁極面５０７ａと多極磁石５０５との重畳面積の７倍以上に設定される。なお、第１の磁極面５０７ａと多極磁石５０５とは重畳しなくてもよい。
【００３７】
ユーザーによる回転操作によって、図６〜図８に示す状態に移行する間に、第１の磁極面５０７ａと多極磁石５０５との吸着が引き離された後、ダイヤル操作部５０１には１磁極分（１８度）回転した位相に引き寄せられる力が働く。これによって、ユーザーはダイヤル操作部５０１を回転操作する際に、１磁極ステップ毎にクリック感を得ることができ、より直感的な回転操作が可能となる。ダイヤル操作部５０１が反時計回り（ＣＣＷ）方向に操作された場合には、図８〜図６に示す順序で状態が遷移して、同様にしてクリック感を得ることができる。
【００３８】
ところで、図６に示すように、可動磁石５０７の第１の磁極面５０７ａおよび第２の磁極面５０７ｂの幅Ｗは多極磁石５０５の１磁極分の幅と略同一に設定される。これによって、ダイヤル操作部５０１を操作した際により遊びの少ないクリック感をユーザーに提供することができる。幅Ｗが多極磁石５０５の１磁極分の幅より短い場合、ダイヤル操作部５０１を操作し始めてからクリック感が得るまでの余裕（時間）が大きくなってしまう。
【００３９】
また、図６〜図８に示す状態まで多極磁石５０５と可動磁石５０７とは着磁平面と略平行方向に互いに接触することなく、吸着力および反発力によってクリック感を付与する。このように、非接触でクリック感を付与することによって、繰り返し操作を行っても摩耗しづらく耐久性の高いダイヤル操作装置を構成することができる。
【００４０】
図６〜図８に示すように、ダイヤル操作中において、多極磁石５０５と可動磁石５０７とは常にいずれかの磁極面が重畳して、吸着力又は反発力が生じ相互に力が働いている。これによって、ダイヤル操作感が操作中に失われることはなく、安定してクリック感を付与することができる。
【００４１】
図９は、図７に示すＢ−Ｂ線に沿った断面を示す図である。
【００４２】
ここで、図９を参照して、可動磁石５０７の回動軸の配置について説明する。図６〜図８で説明したように、可動磁石５０７はリング形状の多極磁石５０５に略重畳した状態から当該リング形状の内側までの範囲で回動する。可動磁石５０７の回動軸には、回動を行うため微小な嵌合ガタが設けられている。よって、図６から図７に示す状態に遷移する際、図９に示すように、多極磁石５０５と可動磁石５０７との反発力によって可動磁石５０７には傾きが生じる。
【００４３】
回動軸がリング形状の内側に配置されることによって、可動磁石５０７はリング形状の内側が低くなるように傾き、反発力によって可動磁石５０７には所望の方向（破線矢印）に移動させる力が働く。
【００４４】
なお、図示の例では、可動磁石５０７がリング形状の内側に向かって回動を繰り返す状態が示されているが、外側に回動する形態も可能であり、その場合には回動軸も同様にリング形状の外側に配置することが望ましい。
【００４５】
本発明の第１の実施形態では、回転軸５０ａに対してスラスト方向に着磁された多極磁石５０５と可動磁石５０７とによってクリック感を付与するようにしたが、着磁方向については、例えば、ラジアル方向に着磁するようにしてもよい。また、多極磁石５０５の回転軸５０ａと可動磁石５０７の回動軸とを同一方向としたが、同一方向に限定されず、例えば、９０度回転した配置とするようにしてもよい。
【００４６】
このように、本発明の第１の実施形態では、サブダイヤル装置などの操作装置において、回転操作の際にクリック感を付与しつつ小型でかつ耐久性を向上させることができる。
【００４７】
［第２の実施形態］
次に、本発明の第２の実施形態による操作装置の一例について説明する。
【００４８】
図１０は、本発明の第２の実施形態による操作装置の一例を示す斜視図である。また、図１１は図１０に示すスライダ操作装置を分解して示す図であり、図１１（ａ）は多極磁石を示す図、図１１（ｂ）は可動磁石を示す図である。
【００４９】
前述の第１の実施形態においては、操作装置としてダイヤルを用いたダイヤル操作装置について説明した。一方、第２の実施形態において、回転操作の代わりにスライド操作を用いた操作装置（以下第２の実施形態においてスライド操作装置と呼ぶ）について説明する。
【００５０】
なお、スライド操作装置は、例えば、デジタルカメラなどの撮像装置で用いられ、前述のダイヤル操作装置と同様に各種設定を行う際などに用いられる。また、第２の実施形態においてもスライド操作量は、ホールＩＣによって検知される。
【００５１】
スライダ操作装置は、スライダ保持部材９０１を有しており、スライダ保持部材９０１にはスライダ９０２が実線矢印方向に移動可能（スライド移動可能）に保持されている。スライダ９０２にはユーザーがスライダ９０２をスライド操作する際に用いるスライド操作形状部９０２ａが形成されている。そして、スライダ９０２には、多極磁石９０３が一体的にスライドするように固定されている。スライド操作形状部９０２ａにはユーザーが操作する際に、指が滑りづらくなるように凹凸が形成されている。
【００５２】
図１１（ａ）に示すように、多極磁石９０３はスライダ９０２の移動方向に沿ってＳ極およびＮ極が交互配列されるように着磁されている。図示の例では、多極磁石９０３は１０つの磁極を有しているが、磁極の間隔および磁極数はこの例に限定されない。
【００５３】
スライダ保持部材９０１には回動軸９０１ｂを中心として可動磁石９０４が回動可能に保持されている。そして、スライダ保持部材９０１には可動磁石９０４の回動範囲を規制するストッパー形状部（規制部材）９０１ａが設けられている。可動磁石９０４は第１の磁極面９０４ａおよび第２の磁極面９０４ｂを有している。
【００５４】
可動磁石９０４は多極磁石９０３に対する吸着力および反発力によってクリック感を付与するための磁石である。なお、第１の実施形態で説明した可動磁石５０７はＮ極を２面有していたが、図示の例では可動磁石９０４はＳ極およびＮ極を備えている。
【００５５】
図１０に示すように、可動磁石９０４は多極磁石９０３の近傍にその着磁面が対向する向きで配置されており、互いの磁極の組み合わせに応じて多極磁石９０３と可動磁石９０４とには吸着力および反発力が生じる。
【００５６】
図１２は図１０に示すスライド操作装置においてスライダが操作されていない状態を示す図である。図１３は図１２に示す状態からスライダを操作した状態を示す図である。また、図１４は図１３に示す状態からさらにスライダを操作した状態を示す図である。
【００５７】
図１２においては、多極磁石９０３のＳ極と可動磁石９０４の第１の磁極面９０４ａであるＮ極が対向しており、互いに吸着力が作用している。また、第２の磁極面９０４ｂであるＳ極の近傍には多極磁石９０３のＳ極が位置しており、互いに反発力が生じている。よって、多極磁石９０３と可動磁石９０４との位置関係は図１２に示す状態で安定し、多極磁石９０３と第１の磁極面９０４ａの吸着によって、スライダ９０２を図１２に示す状態に留める力が生じる。
【００５８】
図１２に示す状態から、図中左方向にスライダ９０２をスライド操作すると、図１３に示す状態に移行する。ユーザーの操作によって多極磁石９０３のＳ極と可動磁石９０４の第１の磁極面９０４ａであるＮ極との吸着は引き離される。続いて、第１の磁極面９０４ａのＮ極に多極磁石９０３のＮ極が近づき、反発力によって可動磁石９０４は破線矢印で示す方向に回転する。
【００５９】
この際、破線矢印で示す方向と反対の方向に回動したとしても、可動磁石９０４はストッパー形状部９０１ａに突き当たるので、破線矢印で示す方向と反対の方向への回動は規制される。
【００６０】
このように、ストッパー形状部９０１ａによって、可動磁石９０４が誤った方向に移動することを規制して、確実にクリック感を付与することができる。
【００６１】
図１３に示す状態は不安定な状態であり、上述の反発力および吸着力によって、図１４に示す状態に移行する力が作用している。
【００６２】
さらにスライド操作を続けると、図１３に示す状態から図１４に示す状態に移行する。ここでは、多極磁石９０３のＮ極と可動磁石９０４の第２の磁極面９０４ｂであるＳ極とが近接して吸着力が生じる。また、第１の磁極面９０４ａであるＮ極は多極磁石９０３のＮ極に近接しており、互いに反発力が生じる。これらの吸着力および反発力によって、図１２に示す状態から幅Ｓ２分移動した位置に静止させる力が作用する。
【００６３】
ユーザーのスライド操作によって、図１２〜図１４に示す状態に順次移行することによって、多極磁石９０３と第１の磁極面９０４ａとを引き離す反力が作用した後、多極磁石９０３と第２の磁極面９０４ｂによる吸着力が作用する。
【００６４】
これによって、ユーザーはスライド操作形状部９０２ａに触れて操作する際に、予め設定した間隔毎にクリック感を得ることができ、より直感的にスライド操作を行うことができる。なお、スライド操作形状部９０２ａを逆方向に操作した場合には、図１４〜図１２に示す状態で遷移してクリック感を得ることができる。
【００６５】
上述の第２の実施形態では前述の幅Ｓ２と磁極の幅Ｓ１とは同一ではなく、クリック感が生じる間隔は変更可能であって、第１の実施形態で説明したように１磁極分には限定されない。
【００６６】
なお、第２の実施形態では、水平方向のスライド操作について説明したが、例えば、湾曲したレールに沿って操作部材を緯度させるようにしてもよい。
【００６７】
このように、本発明の第２の実施形態では、スライド操作装置などの操作装置において、スライド操作の際にクリック感を付与しつつ小型でかつ耐久性を向上させることができる。
【００６８】
［第３の実施形態］
次に、本発明の第３の実施形態による操作装置の一例について説明する。なお、第３の実施形態における操作装置は、第１の実施形態と同様のダイヤル操作装置である。
【００６９】
図１５は、本発明の第３の実施形態によるダイヤル操作装置で用いられる可動磁石の一例を説明するための図である。そして、図１５（ａ）は斜視図であり、図１５（ｂ）は上側から見た図である。
【００７０】
第１の実施形態で説明したように、可動磁石６０７は回動可能に保持される。可動磁石６０７の両端部にはそれぞれ第１の磁極面６０７ａおよび第２の磁極面６０７ｂが形成されている。第１の実施形態と同様に、第１の磁極面６０７ａと第２の磁極面６０７ｂにおいて多極磁石５０５と対向する面にはＮ極が着磁される。
【００７１】
第１の磁極面６０７ａはその両端にそれぞれ形成された傾斜部６０７ａ１および６０７ａ２と平面部６０７ａ３とを有している。平面部６０７ａ３は可動磁石６０７の回転軸に対して垂直な面であり、傾斜部６０７ａ１および６０７ａ２は可動磁石６０７の回転軸に対して所定の角度傾いている。なお、傾斜角度ついては後述する。
【００７２】
傾斜部６０７ａ１の幅ｗ１と傾斜部６０７ａ２の幅ｗ２とし互いに等しく、平面部６０７ａ３の幅はｗ３で示される。
【００７３】
第２の磁極面６０７ｂは第１の磁極面６０７ａと同様の形状を有しており、ここでは、第２の磁極面６０７ｂは傾斜部６０７ｂ１および６０７ｂ２と平面部６０７ｂ３とを有している。そして、傾斜部６０７ｂ１のｗ１と傾斜部６０７ｂ２のｗ２とは互いに等しい。
【００７４】
図１６は、図１５に示す可動磁石の動きを説明するための図である。そして、図１６（ａ）は可動磁石が安定的な位置に静止した状態を示す図であり、図１６（ｂ）は図１６（ａ）に示すＣ−Ｃ線に沿った断面図である。また、図１６（ｃ）は図１６（ａ）に示す状態からＣＷ方向に多極磁石が回転した状態を示す図であり、図１６（ｄ）は図１６（ｃ）に示すＤ−Ｄ線に沿った断面図である。図１６（ｅ）は可動磁石の受ける力と移動方向の関係を示す図である。さらに、図１６（ｆ）は図１６（ｃ）に示す状態からＣＷ方向に多極磁石が回転したさらに状態を示す図であり、図１６（ｇ）は図１６（ｆ）に示すＥ−Ｅ線に沿った断面図である。
【００７５】
図１６（ａ）において、多極磁石５０５のＳ極と可動磁石６０７の第１の磁極面６０７ａ（Ｎ極）とが向かい合っている。なお、図１６（ａ）において、第１の磁極面６０７ａの磁極（Ｎ極）は多極磁石５０５と対向する面が透過した状態で示されている。この状態では、第１の磁極面６０７ａの傾斜部６０７ａ１および平面部６０７ａ３の磁力線（図示せず）は多極磁石５０５のＳ極に向かう。よって、可動磁石６０７と多極磁石５０５との間に引力が生じて安定した状態となる。
【００７６】
図１６（ｃ）において、第１の磁極面６０７ａの傾斜部６０７ａ１と多極磁石５０５のＮ極が対向する状態となる。この状態では、傾斜部６０７ａ１から面の法線方向（矢印Ｎ）に磁力線が生じる。このため、第１の磁極面６０７ａと多極磁石５０５のＮ極との間で反発力が生じて、可動磁石６０７は矢印Ｎと反対方向に力を受ける。
【００７７】
可動磁石６０７の移動方向を矢印Ｒで示すと、図１６（ｅ）に示すように、矢印Ｎと矢印Ｒとのなす角ＡＮは鈍角となる。このため、可動磁石６０７が受ける力は矢印Ｒ方向の成分を含んでおり、可動磁石６０７を矢印Ｒ方向に回転させる力が作用する。
【００７８】
第１の実施形態で説明したように、第１の磁極面５０７ａが多極磁石５０５と完全に平行となる場合には、磁極の反発力によって可動磁石５０７が動き出すタイミングで所望の方向とは逆の方向に回転してしまう可能性がある。この場合、第２の着磁面５０７ｂによる吸着ができなくなって、所望のクリック感を発生させることができない。
【００７９】
このため、ストッパーなどを設けて可動磁石５０７の回転方向を所望の方向のみに規制すると、ストッパーと可動磁石５０７とが衝突するので、音響の発生および耐久性の低下などが起こる。
【００８０】
そこで、第３の実施形態では、可動磁石６０７の第１の磁極面６０７ａに、面の法線方向が可動磁石６０７の移動方向と鈍角をなす傾斜部６０７ａ１を形成する。これによって、可動磁石６０７が反発力によって回転する際に確実に所望の方向に可動磁石６０７を回転動作させることができる。この結果、音響の発生および耐久性の低下を防止して良好なクリック感を得ることができる。
【００８１】
図１６（ｆ）においては、可動磁石６０７が回転を開始し、第１の磁極面６０７ａと多極磁石５０５のＮ極との間には引き続き反発力が作用する。一方、第２の磁極面６０７ｂと多極磁石５０５のＳ極の間には吸着力が作用する。多極磁石５０５がＣＷ方向に回転すると、第１の実施形態と同様に可動磁石６０７の第２の磁極面６０７ｂが多極磁石５０５のＳ極と吸着する。そして、第１の磁極面６０７ａが多極磁石５０５と対向しない位置まで可動磁石６０７は回動して安定した状態となる。この過程において、第１の実施形態と同様にしてクリック感を得ることができる。
【００８２】
第１の磁極面６０７ａの傾斜部６０７ａ１および６０７ａ２は、前述のようにその幅ｗ１と幅ｗ２とが等しく、さらにその傾きも同一である。このため、例えば、図１６（ａ）の状態から図１６（ｂ）とは逆方向（ＣＣＷ方向）に多極磁石５０５が回転した場合においても、上述した動作と同様に可動磁石６０７を所定の方向に確実に回転させて、良好なクリック感を得ることができる。
【００８３】
さらに、第１の磁極面６０７ａと第２の磁極面６０７ｂは同一形状であるので、第２の磁極面６０７ｂ側が多極磁石５０５と対向する位置にある状態から多極磁石５０５を回転させた場合でも同様にクリック感を得ることができる。
【００８４】
図１５（ｂ）に示すように、平面部６０７ａ３の幅ｗ３は傾斜部６０７ａ１の幅ｗ１および傾斜部６０７ａ２の幅ｗ２よりも大きい。ここで、幅ｗ３をゼロとして、第１の磁極面６０７ａの全面を斜面としても上述の効果は得られる。ところが、斜面によって多極磁石５０５の磁極面と直交する方向の成分において磁力が減少するので、クリック感が弱くなってしまう懸念がある。
【００８５】
そこで、上述のように、傾斜部６０７ａ１および６０７ａ２を第１の磁極面６０７ａの両端部に所定の幅で形成して、残りの部分を多極磁石５０５と平行な平面部６０７ａ３とする。これによって、クリック感の減少を最小限に抑えつつ、可動磁石６０７の逆転を防止して良好なクリック感を得ることができる。なお、可動磁石６０７の形状については、傾斜部を形成することに限定されない。
【００８６】
図１７は、本発明の第３の実施形態によるダイヤル操作装置で用いられる可動磁石の他の例を説明するための図である。そして、図１７（ａ）は上方から見た図であり、図１７（ｂ）は図１７（ａ）に示すＦ−Ｆ線に沿った断面図である。
【００８７】
図１７（ａ）において、可動磁石７０７の両端部にはそれぞれ第１の着磁面７０７ａおよび第２の着磁面７０７ｂが形成される。そして、その着磁面に段差部７０７ａ１および段差部７０７ａ２と段差部７０７ｂ１および段差部７０７ｂ２とを設けるようにしてもよい。この場合、第１の着磁面７０７ａおよび第２の着磁面７０７ｂともにＮ極である。
【００８８】
図１７（ｂ）に示すように、段差部７０７ｂ１の存在によって、第２の着磁面７０７ｂの近傍における磁界は、段差の方向と直交する矢印Ｐ方向の成分を有する。これによって、段差部７０７ｂ１が多極磁石（図示せず）のＮ極と対向した際には、矢印Ｐの反対方向、つまり、可動磁石７０７が回動する矢印Ｒ方向の力を受けることになる。
【００８９】
このように、斜面の代わりに段差を設けるようにしても、上述の効果を得ることができる。
【００９０】
上述のように、本発明の第３の実施形態においても、ダイヤル操作装置において、回転操作の際にクリック感を付与しつつ小型でかつ耐久性を向上させることができる。
【００９１】
［第４の実施形態］
次に、本発明の第４の実施形態による操作装置の一例について説明する。
【００９２】
図１８は、本発明の第４の実施形態による操作装置において可動磁石の動きを説明するための図である。そして、図１８（ａ）は多極磁石と可動磁石との関係を上方から示す図であり、図１８（ｂ）は多極磁石と可動磁石との関係を側方から示す図である。そして、図１８（ｃ）は可動磁石を上方から示す図であり、図１８（ｄ）は可動磁石を側方から示す図である。
【００９３】
図示の例では、１２つの磁極を有する多極磁石８０５と、所定の軸に沿って往復運動する可動磁石８０７とを用いてクリック感を発生させる。可動磁石８０７は、図中、矢印Ｔの方向および矢印Ｔと反対方向にのみ移動可能である。
【００９４】
可動磁石８０７の一端には多極磁石８０５と対向する面に第１の着磁面８０７ａ（Ｎ極）が形成され、他端には第２の着磁面８０７ｂ（Ｓ極）が形成されている。図１８（ａ）に示す状態では、多極磁石８０５のＳ極と第１の着磁面８０７ａ（Ｎ極）とが吸着して安定した状態にある。この状態からＣＷ方向に多極磁石８０５が回転すると、多極磁石８０５のＮ極と第１の着磁面８０７ａとが反発し、可動磁石８０７は矢印Ｔの方向に移動する。同時に、第２の着磁面８０７ｂと多極磁石８０５のＮ極が吸着し始めるので、可動磁石８０７は矢印Ｔ方向に引き寄せられる。
【００９５】
このようにして、多極磁石８０５が１磁極分回転すると、上述した例と同様に反発力と吸着力によってクリック感が発生する。
【００９６】
図１８（ｃ）に示すように、第１の着磁面８０７ａおよび第２の着磁面８０７ｂにはそれぞれ斜面部８０７ａ１および８０７ａ２と斜面部８０７ｂ１および８０７ｂ２が形成されている。斜面部８０７ａ１および８０７ａ２は同一の方向を向いており、その法線方向の矢印Ｎと可動磁石８０７の移動方向の矢印Ｔとがなす角は鈍角になるように傾けられる。
【００９７】
このため、図１８（ａ）に示す状態から多極磁石８０５が回転すると、可動磁石８０７に作用する反発力は矢印Ｔ方向の成分を有することになって、確実に可動磁石８０７を所望の方向（矢印Ｔ）に移動させることができる。
【００９８】
さらに、斜面部８０７ｂ１および８０７ｂ２は矢印Ｔと反対方向のベクトルに対して鈍角となる法線を有する斜面とされる。これによって、第２の着磁面８０７ｂが多極磁石８０５と対向する状態から多極磁石８０５が回転した際においても、可動磁石８０７を所望の方向（矢印Ｔと反対の方向）に移動させることができる。
【００９９】
斜面部８０７ａ１、８０７ａ２、８０７ｂ１、および８０７ｂ２は傾きの方向を除いてその形状は同一である。そして、斜面部８０７ａ１および８０７ａ２の間には平面部８０７ａ３が形成され、斜面部８０７ｂ１および８０７ｂ２の間には平面部８０７ｂ３が形成されている。このため、多極磁石８０５の回転方向は可動磁石８０７の位置に拘わらず、同等のクリック感を生成することができる。さらには、クリック感の減少を防止しつつ、確実に可動磁石８０７を所望の方向に移動させることができる。
【０１００】
このように、可動磁石８０７を往復動させてクリック感を発生させるようにしても、可動磁石８０７の移動方向ベクトルに対して鈍角となる向きに可動磁石８０７の着磁面を傾ければ、確実にクリック感を生成させることができる。
【０１０１】
上述のように、本発明の第４の実施形態においても、クリック感を付与しつつ小型でかつ耐久性を向上させることができる。
【０１０２】
以上、本発明の好ましい実施形態について説明したが、本発明はこれらの実施形態に限定されず、その要旨の範囲内で種々の変形及び変更が可能である。
【符号の説明】
【０１０３】
５０１  ダイヤル操作部
５０２  ダイヤル保持部材
５０３  磁石保持部材
５０４  ダイヤル基部
５０５  多極磁石
５０６  検知基板
５０６ａ  ホールＩＣ
５０７  可動磁石
５０７ａ，５０７ｂ  磁極面
５０８  シールド部材
【図１】
2020136029.tif 000003
【図２】
2020136029.tif 000004
【図３】
2020136029.tif 000005
【図４】
2020136029.tif 000006
【図５】
2020136029.tif 000007
【図６】
2020136029.tif 000008
【図７】
2020136029.tif 000009
【図８】
2020136029.tif 000010
【図９】
2020136029.tif 000011
【図１０】
2020136029.tif 000012
【図１１】
2020136029.tif 000013
【図１２】
2020136029.tif 000014
【図１３】
2020136029.tif 000015
【図１４】
2020136029.tif 000016
【図１５】
2020136029.tif 000017
【図１６】
2020136029.tif 000018
【図１７】
2020136029.tif 000019
【図１８】
2020136029.tif 000020